(57)【要約】【課題】接続される電話機の機種によらず通話音声を明瞭化することのできる「ハンズフリー通話装置」を提供する。【解決手段】車載機１の制御部１１５は、参照音声データ記憶部１１６に予め記憶しておいた参照音声を移動電話機２を介してサーバ装置４に送信する。サーバ装置４の受話音量検出部４２は、移動電話機２より受信した参照音声の音量レベルを検出し、受話音量通知部４３は検出された参照音声の音量レベルを表す所定音量レベルを有する受信音量通知音を移動電話機２に送信する。車載機１の制御部１１５は、移動電話機２を介してサーバ装置４より受信した受信音量通知音が表す音量レベルに応じて、車載機１の送話系の音量ゲインを調整すると共に、受信した受信音量通知音の音量レベルに応じて、車載機１の受話系の音量ゲインを調整する。【選択図】図１
2006270601.tif 000002
【特許請求の範囲】
【請求項１】
接続された電話機にハンズフリー通話機能を提供するハンズフリー通話装置であって、
マイクと、
スピーカと、
前記マイクから入力する音声を設定された送話音声ゲインで増幅して、接続した電話機に、当該電話機が送信すべき送話音声として出力する送話系音声処理部と、
接続した電話機から入力する当該電話機が受信した受話音声を、設定された受話音声ゲインで増幅して、前記スピーカに出力する受話系音声処理部と、
音声通信回線を介して受信した音声の音量レベルを表す音量レベル通知音を前記音声通信回線を介して送信する受信音量レベル通知サービスを行うサーバ装置との間の音声通信回線を、前記電話機が接続されたときに当該電話機に確立させるサーバ装置接続手段と、
前記電話機と前記サーバ装置との間の音声通信回線が確立されたときに、前記電話機に予め用意した参照音を前記送話音声として出力する参照音送出手段と、
前記移動電話機より受話音声として入力する、前記電話機が前記サーバ装置より受信した前記音量レベル通知音が表す音量レベルに応じて、前記送話系音声処理部に設定する前記送話音声ゲインの値を調整する送話系音量ゲイン調整手段とを有することを特徴とするハンズフリー通話装置。
【請求項２】
接続された電話機にハンズフリー通話機能を提供するハンズフリー通話装置であって、
マイクと、
スピーカと、
前記マイクから入力する音声を設定された送話音声ゲインで増幅して、接続した電話機に、当該電話機が送信すべき送話音声として出力する送話系音声処理部と、
接続した電話機から入力する当該電話機が受信した受話音声を、設定された受話音声ゲインで増幅して、前記スピーカに出力する受話系音声処理部と、
音声通信回線を介して所定音量レベルの校正用音を送信する校正用音送信サービスを行うサーバ装置との間の音声通信回線を、前記電話機が接続されたときに当該電話機に確立させるサーバ装置接続手段と、
前記移動電話機より受話音声として入力する、前記電話機が前記サーバ装置より受信した校正用音の音量レベルを検出し、検出した校正用音の音量レベルに応じて、前記受話系音声処理部に設定する前記受話音声ゲインの値を調整する受話系音量ゲイン調整手段とを有することを特徴とするハンズフリー通話装置。
【請求項３】
請求項１記載のハンズフリー通話装置であって、
前記移動電話機より受話音声として入力する、前記電話機が前記サーバ装置より受信した音量レベル通知音の音量レベルを検出し、検出した音量レベル通知音に応じて、前記受話系音声処理部に設定する前記受話音声ゲインの値を調整する受話系音量ゲイン調整手段を有することを特徴とするハンズフリー通話装置。
【請求項４】
請求項１、２または３記載のハンズフリー通話装置と前記サーバ装置とを有することを特徴とするハンズフリー通話装置の音声ゲイン調整システム。
【請求項５】
接続された電話機にハンズフリー通話機能を提供するハンズフリー通話装置であって、
マイクと、
スピーカと、
前記マイクから入力する音声を設定された送話音声ゲインで増幅して、接続した電話機に、当該電話機が送信すべき送話音声として出力する送話系音声処理部と、
接続した電話機から入力する当該電話機が受信した受話音声を、設定された受話音声ゲインで増幅して、前記スピーカに出力する受話系音声処理部と、
前記電話機が接続されたときに当該電話機に、当該電話機が当該ハンズフリー通話装置に出力する受話音声の音量レベルに応じた音量レベルを有する校正用音を当該ハンズフリー通話装置に出力させ、前記電話機が出力した校正用音の音量レベルを検出し、検出した校正用音の音量レベルに応じて、前記受話系音声処理部に設定する前記受話音声ゲインの値を調整する音量ゲイン調整手段とを有することを特徴とするハンズフリー通話装置。
【請求項６】
接続された電話機にハンズフリー通話機能を提供するハンズフリー通話装置であって、
マイクと、
スピーカと、
前記マイクから入力する音声を設定された送話音声ゲインで増幅して、接続した電話機に、当該電話機が送信すべき送話音声として出力する送話系音声処理部と、
接続した電話機から入力する当該電話機が受信した受話音声を、設定された受話音声ゲインで増幅して、前記スピーカに出力する受話系音声処理部と、
前記電話機が接続されたときに接続した電話機に、当該ハンズフリー通話装置から入力する送話音声を、当該電話機において送話音声を処理する送話音声処理系から当該電話機において受話音声を処理する受話音声処理系にループバックさせるループバック制御手段と、
前記電話機が接続されたときに当該電話機に、予め用意した参照音を前記送話音声として出力すると共に、前記電話機から受話音声として出力された前記参照音の音量レベルを検出し、検出した参照音の音量レベルに応じて、前記受話系音声処理部に設定する前記受話音声ゲインの値を調整する音量ゲイン調整手段とを有することを特徴とするハンズフリー通話装置。
【請求項７】
請求項１、２、３、５または６記載のハンズフリー通話装置であって、
当該ハンズフリー通話装置は自動車に搭載される車載用のハンズフリー通話装置であって、前記電話機は移動電話機であることを特徴とするハンズフリー通話装置。
【発明の詳細な説明】
【技術分野】
【０００１】
本発明は、電話機にハンズフリー通話機能を付加するハンズフリー通話装置において、通話音声の明瞭度を改善する技術に関するものである。
【背景技術】
【０００２】
電話機を用いたユーザの通話形態としてハンズフリー通話と呼ばれる形態がある。
ハンズフリー通話とは、電話機を用いた通話を、送話音声の入力と受話音声の出力に電話機外部のマイクとスピーカを用いて行うものである。ここで、受話音声を放射するスピーカと、送話音声をピックアップするマイクを備え、以上のようなハンズフリー通話の機能を移動電話機（「携帯電話」とも呼称される）に付加する装置はハンズフリー通話装置などと呼ばれており、主として、自動車内に設置され、運転中のユーザが、移動電話機を用いたハンズフリー通話を行えるようにするために用いられている。
【０００３】
一方、電話機を用いた通話音声の明瞭度を改善する技術としては、電話機において、通話先の電話番号毎に、その通話先との通話中にユーザが電話機に対して設定した受話音量レベルや送話音量レベルを記憶しておき、以降、その通話先と通話する場合には、その通話先の電話番号に対して記憶されている受話音量レベルと送話音量レベルを電話機に対して自動的に設定する技術が知られている（たとえば、特許文献１）
【特許文献１】特開平7-312639号公報
【発明の開示】
【発明が解決しようとする課題】
【０００４】
自動車に搭載されるハンズフリー通話装置などにおいては、ハンズフリー通話装置にユーザによって接続された電話機にハンズフリー通話機能を提供することになる。そして、このようにハンズフリー通話装置にユーザによって接続される電話機の種類は予め特定することができない。一方で、電話機における受話音声や送話音声のゲイン特性は電話機の種類毎に異なり、ハンズフリー通話装置が同じゲイン特性で受話音声や送話音声の音量を調整しても、ユーザや通話先に聞こえる音声の音量は異なったものとなる。
【０００５】
そして、このために、従来は、ハンズフリー通話に用いる電話機の機種を変更する度に、ユーザ自身が、明瞭な通話を行えるようハンズフリー通話装置の受話音声や送話音声のゲイン特性を調整しなければならないという問題があった。
なお、ハンズフリー通話装置に接続される電話機のゲイン特性が異なることにより生じる、このような問題は、前述した、通話先の電話番号に応じて受話音量レベルと送話音量レベルを自動的に設定する技術をハンズフリー通話装置に適用しても、その解決策とはならない。
【０００６】
そこで、本発明は、接続される電話機の機種によらず、通話音声を明瞭化することのできるハンズフリー通話装置を提供することを課題とする。
【課題を解決するための手段】
【０００７】
前記課題達成のために、本発明は、接続された電話機にハンズフリー通話機能を提供するハンズフリー通話装置に、マイクと、スピーカと、前記マイクから入力する音声を設定された送話音声ゲインで増幅して、接続した電話機に、当該電話機が送信すべき送話音声として出力する送話系音声処理部と、接続した電話機から入力する当該電話機が受信した受話音声を、設定された受話音声ゲインで増幅して、前記スピーカに出力する受話系音声処理部と、音声通信回線を介して受信した音声の音量レベルを表す音量レベル通知音を前記音声通信回線を介して送信する受信音量レベル通知サービスを行うサーバ装置との間の音声通信回線を、前記電話機が接続されたときに当該電話機に確立させるサーバ装置接続手段と、前記電話機と前記サーバ装置との間の音声通信回線が確立されたときに、前記電話機に予め用意した参照音を前記送話音声として出力する参照音送出手段と、前記移動電話機より受話音声として入力する、前記電話機が前記サーバ装置より受信した音量レベル通知音が表す音量レベルに応じて、前記送話系音声処理部に設定する前記送話音声ゲインの値を調整する送話系音量ゲイン調整手段とを備えたものである。
【０００８】
ここで、音量レベル通知音が表す音量レベルは、電話機において施される送話音声のゲインの大小に応じて増減する。したがって、以上のように音量レベル通知音が表す音量レベルに応じて、ハンズフリー通話装置の送話系音声処理部に設定する前記送話音声ゲインの値を調整することにより、電話機の送話音声のゲイン特性の予め想定した標準のゲイン特性からのずれをキャンセルするようにハンズフリー通話装置の送話音声のゲイン特性を調整することができる。すなわち、通話先に出力する送話音声の音量レベルを、電話機によらず所定の音量レベルに調整して、通話音声の明瞭化を実現することができる。
【０００９】
なお、このようなハンズフリー通話装置には、さらに、前記移動電話機より受話音声として入力する、前記電話機が前記サーバ装置より受信した音量レベル通知音の音量レベルを検出し、検出した音量レベル通知音に応じて、前記受話系音声処理部に設定する前記受話音声ゲインの値を調整する受話系音量ゲイン調整手段を設けることも好ましい。
【００１０】
ここで、ハンズフリー通話装置において検出される音量レベル通知音の音量レベルは、電話機において施される受話音声のゲインの大小に応じて増減する。したがって、以上のように音量レベル通知音の音量レベルに応じて、ハンズフリー通話装置の受話系音声処理部に設定する前記受話音声ゲインの値を調整することにより、電話機の受話音声のゲイン特性の予め想定した標準のゲイン特性からのずれをキャンセルするようにハンズフリー通話装置の受話音声のゲイン特性を調整することができる。すなわち、ユーザに対して出力する受話音声の音量レベルを、電話機によらず所定の音量レベルに調整して、通話音声の明瞭化を実現することができる。
【００１１】
また、前記課題達成のために、本発明は、接続された電話機にハンズフリー通話機能を提供するハンズフリー通話装置に、マイクと、スピーカと、前記マイクから入力する音声を設定された送話音声ゲインで増幅して、接続した電話機に、当該電話機が送信すべき送話音声として出力する送話系音声処理部と、接続した電話機から入力する当該電話機が受信した受話音声を、設定された受話音声ゲインで増幅して、前記スピーカに出力する受話系音声処理部と、音声通信回線を介して所定音量レベルの校正用音を送信する校正用音送信サービスを行うサーバ装置との間の音声通信回線を、前記電話機が接続されたときに当該電話機に確立させるサーバ装置接続手段と、前記移動電話機より受話音声として入力する、前記電話機が前記サーバ装置より受信した校正用音の音量レベルを検出し、検出した校正用音の音量レベルに応じて、前記受話系音声処理部に設定する前記受話音声ゲインの値を調整する受話系音量ゲイン調整手段とを備えたものである。
【００１２】
ここで、ハンズフリー通話装置において検出される校正用音の音量レベルは、電話機において施される受話音声のゲインの大小に応じて増減する。したがって、以上のように校正用音の音量レベルに応じて、ハンズフリー通話装置の受話系音声処理部に設定する前記受話音声ゲインの値を調整することにより、電話機の受話音声のゲイン特性の予め想定した標準のゲイン特性からのずれをキャンセルするようにハンズフリー通話装置の受話音声のゲイン特性を調整することができる。すなわち、ユーザに対して出力する受話音声の音量レベルを、電話機によらず所定の音量レベルに調整して、通話音声の明瞭化を実現することができる。
【００１３】
また、前記課題達成のために、本発明は、接続された電話機にハンズフリー通話機能を提供するハンズフリー通話装置に、マイクと、スピーカと、前記マイクから入力する音声を設定された送話音声ゲインで増幅して、接続した電話機に、当該電話機が送信すべき送話音声として出力する送話系音声処理部と、接続した電話機から入力する当該電話機が受信した受話音声を、設定された受話音声ゲインで増幅して、前記スピーカに出力する受話系音声処理部と、前記電話機が接続されたときに接続した電話機に、当該電話機が当該ハンズフリー通話装置に出力する受話音声の音量レベルに応じた音量レベルを有する校正用音を当該ハンズフリー通話装置に出力させ、前記電話機が出力した校正用音の音量レベルを検出し、検出した校正用音の音量レベルに応じて、前記受話系音声処理部に設定する前記受話音声ゲインの値を調整する音量ゲイン調整手段とを備えたものである。
【００１４】
ここで、ハンズフリー通話装置において検出される校正用音の音量レベルは、電話機が出力する受話音声の音量レベルに応じて増減する。したがって、以上のように校正用音の音量レベルに応じて、ハンズフリー通話装置の受話系音声処理部に設定する前記受話音声ゲインの値を調整することにより、電話機が出力する受話音声の音量レベルの予め想定した標準の音量レベルからのずれをキャンセルするようにハンズフリー通話装置の受話音声のゲイン特性を調整することができる。すなわち、ユーザに対して出力する受話音声の音量レベルを、電話機によらず所定の音量レベルに調整して、通話音声の明瞭化を実現することができる。
【００１５】
また、前記課題達成のために、本発明は、接続された電話機にハンズフリー通話機能を提供するハンズフリー通話装置に、マイクと、スピーカと、前記マイクから入力する音声を設定された送話音声ゲインで増幅して、接続した電話機に、当該電話機が送信すべき送話音声として出力する送話系音声処理部と、接続した電話機から入力する当該電話機が受信した受話音声を、設定された受話音声ゲインで増幅して、前記スピーカに出力する受話系音声処理部と、前記電話機が接続されたときに接続した電話機に、当該ハンズフリー通話装置から入力する送話音声を、当該電話機において送話音声を処理する送話音声処理系から当該電話機において受話音声を処理する受話音声処理系にループバックさせるループバック制御手段と、前記電話機が接続されたときに接続した電話機に、予め用意した参照音を前記送話音声として出力すると共に、前記電話機から受話音声として出力された前記参照音の音量レベルを検出し、検出した参照音の音量レベルに応じて、前記受話系音声処理部に設定する前記受話音声ゲインの値を調整する音量ゲイン調整手段とを備えたものである。
【００１６】
ここで、ハンズフリー通話装置において検出される参照音の音量レベルは、電話機における送話音声のゲインと受話音声のゲインの和の大小に応じて増減する。また、一般的に、電話機の送話音声のゲインと受話音声のゲインの、標準のゲイン特性からのずれの傾向は一致していることが多い。したがって、以上のように参照音の音量レベルに応じて、ハンズフリー通話装置の受話系音声処理部に設定する前記受話音声ゲインの値を調整することにより、電話機が出力する受話音声の音量レベルの予め想定した標準の音量レベルからのずれをキャンセルするようにハンズフリー通話装置の受話音声のゲイン特性を調整することができることが期待できる。すなわち、ユーザに対して出力する受話音声の音量レベルを、電話機によらず所定の音量レベルに調整して、通話音声の明瞭化を実現することができることが期待できる。
【００１７】
なお、以上のハンズフリー通話装置は自動車に搭載される車載用のハンズフリー通話装置であってよく、また、前記電話機は移動電話機であってよい。
【発明の効果】
【００１８】
以上のように、本発明によれば、接続される電話機の機種によらず、通話音声を明瞭化することのできるハンズフリー通話装置を提供することができる。
【発明を実施するための最良の形態】
【００１９】
以下、本発明の実施形態について、自動車に搭載され、一般に携帯電話と呼称される移動電話機にハンズフリー通話機能を提供する車載機への適用を例にとり説明する。
まず、第１の実施形態について説明する。
図１に、本第１実施形態に係るハンズフリー通話システムの構成を示す。
図示するように、ハンズフリー通話システムは、車載機１と、車載機１に脱着可能に接続される移動電話機２と、移動電話機２が移動電話網３を介して音声通信回線を接続可能なサーバ装置４とを含んで構成される。
そして、車載機１は、マイク１０１、入力アンプ１０２、ユーザ側エコーキャンセラ１０３、第１送話アンプ１０４、ノイズキャンセラ１０５、第２送話アンプ１０６、回線側エコーキャンセラ１０７、リニアコーデック１０８、セレクタ１０９、移動電話インタフェース部１１０、第１受話アンプ１１１、第２受話アンプ１１２、出力アンプ１１３、スピーカ１１４、制御部１１５、参照音声データ記憶部１１６とを有する。
【００２０】
そして、このような車載機１は、たとえば、移動電話インタフェース部１１０において、Bluetooth（登録商標）などの近距離無線通信や、有線接続により移動電話機２に接続する。
また、サーバ装置４は、電話機能部４１、受話音量検出部４２、受話音量通知部４３、サーバ制御部４４とを含んでいる。
以下、このようなハンズフリー通話システムの動作を説明する。
まず、着呼またはユーザ発呼操作によって開始される、任意の通話先との通常のハンズフリー通話時の動作について説明する。なお、この通常のハンズフリー通話時には、制御部１１５は、セレクタ１０９にリニアコーデック１０８が出力する送話音声を移動電話インタフェース部１１０に出力させると共に、移動電話インタフェース部１１０から入力する受話音声をリニアコーデック１０８に出力させる。
【００２１】
さて、移動電話機２が通話先の電話機と移動電話網３を介して呼接続し、これにより確立された音声通信回線によって両電話機間が通話状態となると、車内のユーザが発声した音声はマイク１０１によって送話音声としてピックアップされ入力アンプ１０２で増幅された後、ユーザ側エコーキャンセラ部でスピーカ１１４からマイク１０１への回り込み受話音声成分をキャンセルするエコーキャンセル処理が施される。エコーキャンセル処理が施された送話音声は、第１送話アンプ１０４で音量レベルが調整された後に、ノイズキャンセラ１０５でノイズ成分の除去され、さらに第２送話アンプ１０６で音量レベルが調整される。第２送話アンプ１０６で、音量レベルが調整された送話音声は、回線側エコーキャンセラ１０７を通過して、リニアコーデック１０８でデジタル信号に変換される。そして、デジタル信号に変換された送話音声は、セレクタ１０９を透過して、移動電話インタフェース部１１０に送られ、移動電話インタフェース部１１０によって移動電話機２に送話音声として送られる。そして、移動電話機２は、車載機１から送られた送話音声を通話先の電話機に送信する。
【００２２】
一方、移動電話機２が、通話先の電話機から受信した受話音声は、移動電話インタフェース部１１０にデジタルの受話音声として送られる。移動電話インタフェース部１１０が受け取った受話音声は、セレクタ１０９からリニアコーデック１０８に送られ、アナログ信号の受話音声に変換される。アナログ信号に変換された受話音声は、第１受話アンプ１１１で音量が調整された後に、回線側エコーキャンセラ１０７に送られ、回線側エコーキャンセラ１０７において、送話音声の通話先におけるエコー成分をキャンセルするエコーキャンセル処理が施され、第２受話アンプ１１２に出力され、音量が調整される。第２受話アンプ１１２で音量が調整された受話音声は、ユーザ側エコーキャンセラ１０３を通過し、出力アンプ１１３で増幅された後、スピーカ１１４から出力される。
【００２３】
次、移動電話機２の車載機１の接続時に制御部１１５が行う送受話音声調整処理について説明する。
図２に、この送受話音声調整処理の手順を示す。
図示するように、この処理では、まず、移動電話機２がユーザによって移動電話インタフェース部１１０に接続されるのを待つ（ステップ２０２）。そして、移動電話機２が接続されたならば、移動電話インタフェース部１１０を介して、移動電話機２から移動電話機２に登録されている移動電話機２の電話番号と電話機の機種の情報を、移動電話機識別子として読み出す（ステップ２０４）。
【００２４】
次に、読み出した移動電話機識別子が、音量ゲイン調整テーブルに登録されているかどうかを調べる（ステップ２０６）。ここで、この音量ゲイン調整テーブルは、制御部１１５が保持するテーブルであり、この音量ゲイン調整テーブルには、図３に示すように、電話機の機種と電話番号よりなる移動電話機識別子に対して、送話系音量ゲインと受話系音量ゲインを記述したエントリを複数登録することができる。
【００２５】
さて、図２に戻り、読み出した移動電話機識別子が、音量ゲイン調整テーブルに登録されている場合には（ステップ２０６）、音量ゲイン調整テーブルの読み出した移動電話機識別子が登録されているエントリに記述されている送話系音量ゲインと受話系音量ゲインを読み出し、読み出した送話系音量ゲインと受話系音量ゲインに、車載機１の送話系の音量のゲインと、車載機１の受話系の音量のゲインを調整し（ステップ２２４）、ステップ２０２に戻る。ここで、車載機１の送話系の音量のゲインの調整は、入力アンプ１０２、第１送話アンプ１０４、第２送話アンプ１０６の全てまたはその一部のゲインを調整することにより行う。また、車載機１の受話系の音量のゲインの調整は、第１受話アンプ１１１、第２受話アンプ１１２、出力アンプ１１３の全てまたはその一部のゲインを調整することにより行う。
【００２６】
一方、読み出した移動電話機識別子が、音量ゲイン調整テーブルに登録されていなかった場合（ステップ２０６）には、移動電話インタフェース部１１０を介して移動電話機２を制御し、移動電話機２にサーバ装置４に発呼させ、サーバ装置４との間の音声通信回線を確立させる（ステップ２０８）。
【００２７】
そして、参照音声データ記憶部１１６に予め記憶しておいた参照音声の音声データをセレクタ１０９に出力すると共に、セレクタ１０９に、制御部１１５からの音声データを、リニアコーデック１０８から出力される送話音声に代えて送話音声として移動電話インタフェース部１１０に出力させることにより、移動電話機２を介してサーバ装置４に、参照音声を送信する（ステップ２１０）。また、セレクタ１０９に、移動電話インタフェース部１１０から入力する受話音声をリニアコーデック１０８に代えて、制御部１１５に出力させる。
【００２８】
なお、参照音声としては、たとえば、参照音声データ記憶部１１６に予め記憶しておいたマイク１０１より入力したユーザの発声音声を用いるようにしてもよいし、所定の音量レベルの任意の音声を用いるようにしてもよい。
さて、図１に戻り、サーバ装置４の電話機能部４１は、移動電話機２より受信した参照音声を受話音量検出部４２に出力する。受話音量検出部４２は、電話機能部４１が出力した参照音声の音量レベルを検出し、サーバ制御部４４に通知する。サーバ制御部４４は、通知された音量レベルをコード化して（通知された音量レベルを表すように）生成した音声信号である受信音量通知音を、受話音量通知部４３に生成させる。ここで、この受信音量通知音の音量レベルは予め定めた所定の音量レベルとする。
【００２９】
さて、受話音量通知部４３が生成した受信音量通知音は、電話機能部４１に送られ、電話機能部４１から移動電話機２に送信される。ここで、このような受信音量通知音としては、たとえば、ＤＴＭＦ信号を用いることができる。すなわち、この場合には、受話音量検出部４２が検出した音量レベルをＤＴＭＦ音としてコード化し、このＤＴＭＦ音を受信音量通知音として移動電話機２に送信する。ただし、このＤＴＭＦ音の音量レベルは常に一定の音量レベルとなるようにする。
【００３０】
図２に戻り、参照音声をサーバ装置４に送信したならば、移動電話機２、移動電話インタフェース部１１０、セレクタ１０９を介して、サーバ装置４から受信音量通知音を受信するのを待ち（ステップ２１２）、受信音量通知音を受信したならば、受信した受信音量通知音の音量レベルを検出する（ステップ２１４）。また、受信した受信音量通知音が表す音量レベル（サーバ装置４の受話音量検出部４２が検出した音量レベル）をデコードする（ステップ２１６）。
【００３１】
そして、ステップ２１６でデコードした音量レベルに応じて、車載機１の送話系の音量ゲインを調整する（ステップ２１８）と共に、ステップ２１４で検出した受信音量通知音の音量レベルに応じて、車載機１の受話系の音量ゲインを調整する（ステップ２２０）。なお、ステップ２１６でデコードした音量レベルと、車載機１の送話系の音量ゲインの調整量との対応や、ステップ２１４で検出した受信音量通知音の音量レベルと、車載機１の受話系の音量ゲインの調整量との対応は、予め制御部１１５に設定しておく。
【００３２】
さて、ここで、ステップ２１６でデコードした音量レベル（サーバ装置４の受話音量検出部４２が検出した音量レベル）は移動電話機２の送話音声のゲインの大小に応じて増減する。また、ステップ２１４で検出した受信音量通知音の音量レベルは、移動電話機２の受話音声のゲインの大小に応じて増減する。
【００３３】
したがって、以上のようにステップ２１６でデコードした音量レベルに応じて、車載機１の送話系の音量ゲインを調整することにより、移動電話機２の送話音声のゲイン特性の予め想定した標準のゲイン特性からのずれをキャンセルするように車載機１の送話系のゲイン特性を調整することができる。また、ステップ２１４で検出した受信音量通知音の音量レベルに応じて、車載機１の受話系の音量ゲインを調整することにより、移動電話機２の受話音声のゲイン特性の予め想定した標準のゲイン特性からのずれをキャンセルするように車載機１の受話系のゲイン特性を調整することができる。すなわち、ユーザに対して出力する受話音声や、通話先に送信する送話音声の音量レベルを、移動電話機２によらず所定の音量レベルに調整して、通話音声の明瞭化を実現することができる。
【００３４】
さて、以上のようにして、ステップ２１８と２２０で車載機１の送話系と受話系のゲインを調整したならば、音量ゲイン調整テーブルに新たなエントリを作成し、作成したエントリに、先にステップ２０４で移動電話機２から取得した移動電話機識別子（移動電話機２の機種と電話番号）と、ステップ２１８と２２０で行った車載機１の送話系のゲインの調整量と受話系のゲインの調整量を登録し（ステップ２２２）、ステップ２０２に戻る。
【００３５】
以上、本発明の第１の実施形態について説明した。
ところで、以上の第１実施形態では、サーバ装置４が所定音量レベルの受信音量通知音を送信し、車載機１においてステップ２１４で受信音量通知音の音量レベルを検出し、ステップ２２０で、ステップ２１４で検出した音量レベルに応じて、車載機１の受話系の音量ゲインを調整したが、これは、サーバ装置４が受信音量通知音とは別に所定音量レベルの調整用音声を生成して送信し、これにより移動電話機２を介して車載機１に入力することになる調整用音声の音量レベルを、ステップ２１４において車載機１で検出し、ステップ２２０で、ステップ２１４で検出した調整用音声の音量レベルに応じて、車載機１の受話系の音量ゲインを調整するようにしてもよい。
【００３６】
以下、本発明の第２実施形態について説明する。
図４に、本第２実施形態に係るハンズフリー通話システムの構成を示す。図示するように、本第２実施形態に係るハンズフリー通話システムでは、前記第１実施形態に係るハンズフリー通話システムにおけるサーバ装置４を廃している。
また、本第２実施形態に係る車載機１の構成は、前記第１実施形態に係る車載機１の構成と同じである。一方、本第２実施形態では、移動電話機２を以下のように構成している。
すなわち、図４に示すように移動電話機２は、車載機１の移動電話インタフェース部１１０と通信を行うためのホストインタフェース２０１、通話音声処理部２０２、移動電話網３に対する音声通信回線の呼制御や通話音声の移動電話網３との間の入出力処理などを行う移動電話網インタフェース２０３、送信音量検出部２０４、送信音量通知部２０５、音量通知用セレクタ２０６、移動電話機制御部２０７、車載機１との非接続時にユーザとの間の通話音声の入出力に用いられるハンドセットを構成するマイク２０８とスピーカ２０９とを備えている。
【００３７】
このような構成において、着呼またはユーザ発呼操作によって開始される、任意の通話先との通常のハンズフリー通話時の移動電話機２の動作は以下の通りである。なお、この通常のハンズフリー通話時の車載機１の動作は、前記第１実施形態における車載機１の動作と同じである。
【００３８】
移動電話機２が通話先の電話機と移動電話網３を介して呼接続し、これにより確立された音声通信回線によって両電話機間で通話状態となると、通話音声処理部２０２は、ホストインタフェース２０１を介して車載機１から受信した送話音声に対して所定の音声処理を施して移動電話網インタフェース２０３に出力する。このとき、移動電話網インタフェース２０３に出力される送話音声の音量レベルは、通話音声処理部２０２が送話音声に施す音声処理のゲイン特性に従ったものとなる。移動電話網インタフェース２０３は、通話音声処理部２０２から受け取った送話音声を、通話先の電話機に送信する。また、移動電話網インタフェース２０３は、通話先の電話機から受信した受話音声を、音量通知用セレクタ２０６に出力する。移動電話機制御部２０７は、通常のハンズフリー通話時には、音量通知用セレクタ２０６に、移動電話網インタフェース２０３から入力する受話音声を、そのまま通話音声処理部２０２に出力させる。通話音声処理部２０２は、入力する受話音声に対して、所定の音声処理を施して、ホストインタフェース２０１を介して車載機１に送信する。このとき、ホストインタフェース２０１に出力される受話音声の音量レベルは、通話音声処理部２０２が受話音声に施す音声処理のゲイン特性に従ったものとなる。
【００３９】
以下、移動電話機２の車載機１の接続時のハンズフリー通話システムの動作について説明する。
図５に、本第２実施形態において、移動電話機２の車載機１の接続時に制御部１１５が行う送受話音声調整処理について説明する。
図示するように、この処理では、前記第１実施形態における送受話音声調整処理と同様に、移動電話機２がユーザによって移動電話インタフェース部１１０に接続されるのを待ち（ステップ５０２）。移動電話機２が接続されたならば、移動電話インタフェース部１１０を介して、移動電話機２から移動電話機２に登録されている移動電話機２の電話番号と電話機の機種の情報を、移動電話機識別子として読み出す（ステップ５０４）。そして、読み出した移動電話機識別子が、音量ゲイン調整テーブルに登録されているかどうかを調べ（ステップ５０６）、読み出した移動電話機識別子が、音量ゲイン調整テーブルに登録されている場合には、音量ゲイン調整テーブルの読み出した移動電話機識別子が登録されているエントリに記述されている送話系音量ゲインと受話系音量ゲインを読み出し、読み出した送話系音量ゲインと受話系音量ゲインに、車載機１の送話系の音量のゲインと、車載機１の受話系の音量のゲインを調整し（ステップ５２６）、ステップ５０２に戻る。
【００４０】
一方、読み出した移動電話機識別子が、音量ゲイン調整テーブルに登録されていなかった場合（ステップ５０６）には、移動電話インタフェース部１１０を介して移動電話機２の移動電話機制御部２０７に音量検出モードを設定する。
そして、参照音声データ記憶部１１６に予め記憶しておいた参照音声の音声データをセレクタ１０９に出力すると共に、セレクタ１０９に、制御部１１５からの音声データを、リニアコーデック１０８から出力される送話音声に代えて送話音声として移動電話インタフェース部１１０に出力させる（ステップ５１０）ことにより、参照音声を移動電話機２に出力する。また、セレクタ１０９に、移動電話インタフェース部１１０を介して移動電話機２から入力する受話音声をリニアコーデック１０８に代えて、制御部１１５に出力させる。
【００４１】
さて、図４に戻り、移動電話機２の移動電話機制御部２０７は、車載機１より音量検出モードが設定されると以下の動作を移動電話機２に行わせる。すなわち、通話音声処理部２０２は、ホストインタフェース２０１を介して車載機１から受け取った参照音声を送話音声として音声処理し出力する。送信音量検出部２０４は、通話音声処理部２０２が出力する参照音声の音量レベルを検出し、送信音量通知部２０５に通知する。送信音量通知部２０５は、通知された音量レベルをコード化して（検出された音量レベルを表すように）生成した音声信号である送信音量通知音を生成し、音量通知用セレクタ２０６に出力する。ここで、この送信音量通知音の音量レベルは予め定めた所定の音量レベルとする。
【００４２】
次に、音量通知用セレクタ２０６は、移動電話網インタフェース２０３から入力する受話音声に代えて、送信音量通知部２０５から入力する送信音量通知音を通話音声処理部２０２に出力する。通話音声処理部２０２は、音量通知用セレクタ２０６から入力する送信音量通知音を受話音声として音声処理し、ホストインタフェース２０１を介して車載機１に出力する。
【００４３】
結果、移動電話機２において、通話音声処理部２０２で送話系の音声処理が施された後の参照音声の音量レベルが検出され、検出された音量レベルを表す所定音量レベルの音声信号である送信音量通知音が生成される。そして、この、送信音量通知音が通話音声処理部２０２で受話系の音声処理された後に車載機１に送られる。
【００４４】
図５に戻り、車載機１の制御部１１５は、参照音声を移動電話機２に出力したならば、移動電話インタフェース部１１０、セレクタ１０９を介して、移動電話機２から送信音量通知音を受信するのを待ち（ステップ５１２）、送信音量通知音を受信したならば、受信した送信音量通知音の音量レベルを検出する（ステップ５１４）。また、受信した送信音量通知音が表す音量レベル（移動電話機２の送信音量検出部２０４が検出した参照音声の音量レベル）をデコードする（ステップ５１６）。
【００４５】
そして、ステップ５１６でデコードした音量レベルに応じて、車載機１の送話系の音量ゲインを調整する（ステップ５１８）と共に、ステップ５１４で検出した送信音量通知音の音量レベルに応じて、車載機１の受話系の音量ゲインを調整する（ステップ５２０）。なお、ステップ５１６でデコードした音量レベルと、車載機１の送話系の音量ゲインの調整量との対応や、ステップ５１４で検出した受信音量通知音の音量レベルと、車載機１の受話系の音量ゲインの調整量との対応は、予め制御部１１５に設定しておく。
【００４６】
さて、ここで、ステップ５１６でデコードした音量レベルは移動電話機２の通話音声処理部２０２における送話音声のゲインの大小に応じて増減する。また、ステップ５１４で検出した送信音量通知音の音量レベルは、移動電話機２の通話音声処理部２０２における受話音声のゲインの大小に応じて増減する。
【００４７】
したがって、以上のようにステップ５１６でデコードした音量レベルに応じて、車載機１の送話系の音量ゲインを調整することにより、移動電話機２の送話音声のゲイン特性の予め想定した標準のゲイン特性からのずれをキャンセルするように車載機１の送話系のゲイン特性を調整することができる。また、ステップ５１４で検出した送信音量通知音の音量レベルに応じて、車載機１の受話系の音量ゲインを調整することにより、移動電話機２の受話音声のゲイン特性の予め想定した標準のゲイン特性からのずれをキャンセルするように車載機１の受話系のゲイン特性を調整することができる。すなわち、ユーザに対して出力する受話音声や、通話先に送信する送話音声の音量レベルを、移動電話機２によらず所定の音量レベルに調整して、通話音声の明瞭化を実現することができる。
【００４８】
さて、以上のようにして、ステップ５１８と５２０で車載機１の送話系と受話系のゲインを調整したならば、音量ゲイン調整テーブルに新たなエントリを作成し、作成したエントリに、先にステップ５０４で移動電話機２から取得した移動電話機識別子（移動電話機２の機種と電話番号）と、ステップ５１８と５２０で行った車載機１の送話系のゲインの調整量と受話系のゲインの調整量を登録する（ステップ５２２）。そして、移動電話インタフェース部１１０を介して移動電話機２の移動電話機制御部２０７の音量検出モードを解除し（ステップ５２４）、ステップ５０２に戻る。なお、移動電話機２は、音量検出モードが解除された後に、移動電話機２が通話先の電話機と移動電話網３を介して呼接続し、これにより確立された音声通信回線によって両電話機で通話状態となったときには、前述した通常のハンズフリー通話時の動作を行う。
【００４９】
以上、本発明の第２の実施形態について説明した。
ところで、以上の第２実施形態では、移動電話機２が所定音量レベルの送信音量通知音を送信し、車載機１においてステップ５１４で送信音量通知音の音量レベルを検出し、ステップ５２０で、ステップ５１４で検出した音量レベルに応じて、車載機１の受話系の音量ゲインを調整したが、これは、移動電話機２の送信音量通知部２０５において送信音量通知音とは別に所定音量レベルの調整用音声を出力するようにし、これにより移動電話機２から入力することになる調整用音声の音量レベルをステップ５１４において車載機１で検出し、ステップ５２０で、ステップ５１４で検出した調整用音声の音量レベルに応じて、車載機１の受話系の音量ゲインを調整するようにしてもよい。
【００５０】
以下、本発明の第３の実施形態について説明する。
図６に、本第３実施形態に係るハンズフリー通話システムの構成を示す。
図示するように、本第３実施形態に係るハンズフリー通話システムの構成は、前記第２実施形態に係るハンズフリー通話システムの構成において、移動電話機２の送信音量検出部２０４、送信音量通知部２０５、音量通知用セレクタ２０６を廃し、代わりに移動電話機２にループバックセレクタ２１０を設けたものである。
【００５１】
このような構成において、着呼またはユーザ発呼操作によって開始される、任意の通話先との通常のハンズフリー通話時の車載機１と移動電話機２の動作は、前記第２実施形態の動作と同じである。ただし、この通常のハンズフリー通話時には、移動電話機２の移動電話機制御部２０７は、ループバックセレクタ２１０に移動電話網インタフェース２０３から入力する受話音声を通話音声処理部２０２に出力させる。
【００５２】
次に、移動電話機２の車載機１の接続時のハンズフリー通話システムの動作について説明する。
図７に、本第３実施形態において、移動電話機２の車載機１の接続時に制御部１１５が行う送受話音声調整処理について説明する。
図示するように、この処理では、前記第１実施形態における送受話音声調整処理と同様に、移動電話機２がユーザによって移動電話インタフェース部１１０に接続されるのを待ち（ステップ７０２）。移動電話機２が接続されたならば、移動電話インタフェース部１１０を介して、移動電話機２から移動電話機２に登録されている移動電話機２の電話番号と電話機の機種の情報を、移動電話機識別子として読み出す（ステップ７０４）。そして、読み出した移動電話機識別子が、音量ゲイン調整テーブルに登録されているかどうかを調べ（ステップ７０６）、読み出した移動電話機識別子が、音量ゲイン調整テーブルに登録されている場合には、音量ゲイン調整テーブルの読み出した移動電話機識別子が登録されているエントリに記述されている送話系音量ゲインと受話系音量ゲインを読み出し、読み出した送話系音量ゲインと受話系音量ゲインに、車載機１の送話系の音量のゲインと、車載機１の受話系の音量のゲインを調整し（ステップ７２０）、ステップ７０２に戻る。
【００５３】
一方、読み出した移動電話機識別子が、音量ゲイン調整テーブルに登録されていなかった場合（ステップ７０６）には、移動電話インタフェース部１１０を介して移動電話機２の移動電話機制御部２０７にループバックモードを設定する（ステップ７０８）。
そして、参照音声データ記憶部１１６に予め記憶しておいた参照音声の音声データをセレクタ１０９に出力すると共に、セレクタ１０９に、制御部１１５からの音声データを、リニアコーデック１０８から出力される送話音声に代えて送話音声として移動電話インタフェース部１１０に出力させる（ステップ７１０）ことにより、参照音声を移動電話機２に出力する。また、セレクタ１０９に、移動電話インタフェース部１１０を介して移動電話機２から入力する受話音声をリニアコーデック１０８に代えて、制御部１１５に出力させる。
【００５４】
さて、図６に戻り、移動電話機２の移動電話機制御部２０７は、車載機１よりループバックモードが設定されると以下の動作を移動電話機２に行わせる。すなわち、通話音声処理部２０２は、ホストインタフェース２０１を介して車載機１から受け取った参照音声を送話音声として音声処理し出力する。ループバックセレクタ２１０は、移動電話網インタフェース２０３から入力する受話音声に代えて、通話音声処理部２０２が送話音声として出力した参照音声を通話音声処理部２０２に出力する。通話音声処理部２０２は、ループバックセレクタ２１０から入力する参照音声を受話音声として音声処理し、ホストインタフェース２０１を介して車載機１に出力する。
【００５５】
結果、移動電話機２において、通話音声処理部２０２の送話系で音声処理された後に、通話音声処理部２０２の受話系で音声処理された参照音声が車載機１に送られる。
図７に戻り、車載機１の制御部１１５は、参照音声を移動電話機２に出力したならば、移動電話機２から受信した参照音声の音量レベルを、ループバック音量レベルとして検出する（ステップ７１２）。そして、検出したループバック音量レベルに応じて、車載機１の送話系の音量ゲインと、車載機１の受話系の音量ゲインを調整する（ステップ７１４）。なお、ステップ７１２で検出したループバック音量レベルと、車載機１の受話系、送話系の音量ゲインの調整量は、予め制御部１１５に設定しておく。
【００５６】
そして、ステップ７１４で、車載機１の送話系と受話系のゲインを調整したならば、音量ゲイン調整テーブルに新たなエントリを作成し、作成したエントリに、先にステップ７０４で移動電話機２から取得した移動電話機識別子（移動電話機２の機種と電話番号）と、ステップ７１４で行った車載機１の送話系のゲインの調整量と受話系のゲインの調整量を登録する（ステップ７１６）。そして、移動電話インタフェース部１１０を介して移動電話機２の移動電話機制御部２０７にループバックモードを解除し（ステップ７１８）、ステップ７０２に戻る。なお、移動電話機２は、ループバックモードが解除された後に、移動電話機２が通話先の電話機と移動電話網３を介して呼接続し、確立された音声通信回線によって両電話機で通話状態となったときには、前述した通常のハンズフリー通話時の動作を行う
さて、ここで、ステップ７１２で検出したループバック音量レベルは移動電話機２の通話音声処理部２０２における送話音声のゲインと受話音声のゲインの和の大小に応じて増減する。また、一般的に、移動電話機２の通話音声処理部２０２における送話音声のゲインと受話音声のゲインの、標準のゲイン特性からのずれの傾向は一致していることが多い。
【００５７】
したがって、以上のようにステップ７１２で検出したループバック音量レベル音量レベルに応じて、車載機１の送話系と受話系の音量ゲインを調整することにより、移動電話機２の送話音声や受話音声のゲイン特性の予め想定した標準のゲイン特性からのずれをキャンセルするように車載機１の送話系や受話系のゲイン特性を調整することができる。
【００５８】
以上、本発明の第３の実施形態について説明した。
ところで、以上の第３実施形態は、移動電話機２において車載機１から入力した参照音声を、ホストインタフェース２０１から、受話音声として通話音声処理部２０２に出力するようにすることにより、移動電話機２から車載機１に、通話音声処理部２０２の受話系の音声処理のみが施された参照音声が出力されるようにすると共に、車載機１において、移動電話機２から入力する参照音声の音量レベルから、移動電話機２の受話系のゲインを算定し、算定したゲインに応じて、算定したゲインの移動電話機２の受話系の標準のゲインからのずれをキャンセルするように、車載機１の受話系のゲインを調整するようにしてもよい。また、移動電話機２において車載機１から入力した参照音声を、ホストインタフェース２０１から、通話音声処理部２０２に送話音声として出力し、通話音声処理部２０２が送話系の音声処理の後に出力する参照音声を、直接、ホストインタフェース２０１に受話音声として出力することにより、移動電話機２から車載機１に、通話音声処理部２０２の送話系の音声処理のみが施された参照音声が出力されるようにすると共に、車載機１において、移動電話機２から入力する参照音声の音量レベルから、移動電話機２の送話系のゲインを算定し、算定したゲインに応じて、算定したゲインの移動電話機２の送話系の標準のゲインからのずれをキャンセルするように、車載機１の送話系のゲインを調整するようにしてもよい。
【００５９】
なお、以上の各実施形態において、車載機１のリニアコーデック１０８は、移動電話機２が受話音声や送話音声をアナログ音声として出力する場合には必要がない。
また、以上の各実施形態における各音量レベルの検出や、車載機１の送話系のゲインや受話系のゲインの調整は、これらを周波数帯域毎に行うことにより、車載機１の送話系や受話系の周波数特性を、移動電話機２の通話音声処理部２０２の送話系の周波数特性や受話系の周波数特性の各標準の周波数特性からのずれをキャンセルするように調整するようにしてもよい。
【００６０】
また、以上の各実施形態は、車載機１以外の自動車に搭載されないハンズフリー通話装置を車載機１に代えて用いる場合にも同様に適用することができる。また、この場合には、ハンズフリー通話装置がハンズフリー機能を与える電話機は移動電話機２以外の電話機、たとえば、固定電話機などであってもよい。
【図面の簡単な説明】
【００６１】
【図１】本発明の第１実施形態に係るハンズフリー通話システムの構成を示すブロック図である。
【図２】本発明の第１実施形態に係る送受話音量調整処理を示すフローチャートである。
【図３】本発明の第１実施形態で用いる音量ゲイン調整テーブルの内容を示す図である。
【図４】本発明の第２実施形態に係るハンズフリー通話システムの構成を示すブロック図である。
【図５】本発明の第２実施形態に係る送受話音量調整処理を示すフローチャートである。
【図６】本発明の第３実施形態に係るハンズフリー通話システムの構成を示すブロック図である。
【図７】本発明の第３実施形態に係る送受話音量調整処理を示すフローチャートである。
【符号の説明】
【００６２】
１…車載機、２…移動電話機、３…移動電話網、４…サーバ装置、４１…電話機能部、４２…受話音量検出部、４３…受話音量通知部、４４…サーバ制御部、１０１…マイク、１０２…入力アンプ、１０３…ユーザ側エコーキャンセラ、１０４…第１送話アンプ、１０５…ノイズキャンセラ、１０６…第２送話アンプ、１０７…回線側エコーキャンセラ、１０８…リニアコーデック、１０９…セレクタ、１１０…移動電話インタフェース部、１１１…第１受話アンプ、１１２…第２受話アンプ、１１３…出力アンプ、１１４…スピーカ、１１５…制御部、１１６…参照音声データ記憶部、２０１…ホストインタフェース、２０２…通話音声処理部、２０３…移動電話網インタフェース、２０４…送信音量検出部、２０５…送信音量通知部、２０６…音量通知用セレクタ、２０７…移動電話機制御部、２１０…ループバックセレクタ。
【図１】
2006270601.tif 000003
【図２】
2006270601.tif 000004
【図３】
2006270601.tif 000005
【図４】
2006270601.tif 000006
【図５】
2006270601.tif 000007
【図６】
2006270601.tif 000008
【図７】
2006270601.tif 000009